【事件の表示】
　特願２０１２−１５５２８８「リモートセンシングとタッチセンシングとが可能な光タッチスクリーン装置」拒絶査定不服審判事件〔平成２５年　３月　７日出願公開、特開２０１３−　４７９３６、請求項の数（１８）〕について、次のとおり審決する。
【結　論】
　原査定を取り消す。
　本願の発明は、特許すべきものとする。
【理　由】
第１　手続の経緯
　本願は、平成２４年７月１１日（パリ条約による優先権主張２０１１年８月２９日、大韓民国）の出願であって、平成２８年８月３１日付けで拒絶理由通知がされ、同年１２月５日付けて意見書が提出され、平成２９年４月２１日付けで拒絶査定（原査定）がされ、これに対し、同年９月６日に拒絶査定不服審判の請求がされると同時に、手続補正がされ、同年１０月１６日付けで前置報告がされたものである。
第２　原査定の概要
　原査定（平成２９年４月２１日付け拒絶査定）の概要は次のとおりである。
１．（新規性）この出願の請求項１，３，５，１１−１２，１４，１６，１８に係る発明は、その出願前に日本国内又は外国において、頒布された下記１の刊行物に記載された発明又は電気通信回線を通じて公衆に利用可能となった発明であるから、特許法第２９条第１項第３号に該当し、特許を受けることができない。
２．（進歩性）この出願の請求項１−５，７−１６，１８−２２に係る発明は、その出願前に日本国内又は外国において、頒布された下記１−２の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　　　　　　　　　＜引用文献等一覧＞
１.特開２０１１−７０１４６号公報
２.国際公開第２００６／１３４８６９号
第３　本願発明
　本願請求項１−１８に係る発明（以下、それぞれ「本願発明１」−「本願発明１８」という。）は、平成２９年９月６日付けの手続補正書で補正された特許請求の範囲の請求項１−１８に記載された事項により特定される発明であり、以下のとおりの発明である。
「【請求項１】
　複数の行及び複数の列に沿って配列された複数のセンシング画素を備え、
　それぞれの前記センシング画素が、外部の光源から照射される光を感知する光センシング画素と、画面の接触時に反射されるディスプレイ光を感知するタッチセンシング画素とを備え、
　前記光センシング画素が、互いに直列に連結された第１光センサートランジスタと第１スイッチトランジスタとを備え、前記タッチセンシング画素が、互いに直列に連結された第２光センサートランジスタと第２スイッチトランジスタとを備え、
　前記第１光センサートランジスタが第１波長帯域の光を感知する酸化物半導体材料を含むチャネル層を含み、前記第２光センサートランジスタが前記第１波長帯域と異なる第２波長帯域の光を感知する酸化物半導体材料を含むチャネル層を含むことを特徴とする光タッチスクリーン装置。
　　【請求項２】
　前記光センシング画素と前記タッチセンシング画素とが、列方向に沿って交互に配列されていることを特徴とする、請求項１に記載の光タッチスクリーン装置。
　　【請求項３】
　前記光センシング画素の前記第１スイッチトランジスタのゲートと連結される第１ゲートラインと、前記光センシング画素の前記第１光センサートランジスタのゲートと連結される第１リセットラインと、前記タッチセンシング画素の前記第２スイッチトランジスタのゲートと連結される第２ゲートラインと、前記タッチセンシング画素の前記第２光センサートランジスタのゲートと連結される第２リセットラインと、をさらに備えることを特徴とする、請求項１に記載の光タッチスクリーン装置。
　　【請求項４】
　前記光センシング画素の前記第１スイッチトランジスタのソースと、前記タッチセンシング画素の前記第２スイッチトランジスタのソースとに共通して連結されたデータラインをさらに備えることを特徴とする、請求項３に記載の光タッチスクリーン装置。
　　【請求項５】
　前記光センシング画素の前記第１スイッチトランジスタのソースに連結された第１データライン、及び前記タッチセンシング画素の前記第２スイッチトランジスタのソースに連結された第２データラインをさらに備えることを特徴とする、請求項３に記載の光タッチスクリーン装置。
　　【請求項６】
　前記第１リセットラインがある一行に配列された前記第１光センサートランジスタのゲートと、該行に後続する他の行の前記第２ゲートラインとの間に連結されており、前記第２リセットラインがある一行に配列された前記第２光センサートランジスタのゲートと、該行に後続する他の行の前記第１ゲートラインとの間に連結されていることを特徴とする、請求項３に記載の光タッチスクリーン装置。
　　【請求項７】
　前記第１光センサートランジスタが相対的に短い第１波長帯域の光を感知し、前記第２光センサートランジスタが前記第１波長帯域より長い第２波長帯域の光を感知することを特徴とする、請求項１に記載の光タッチスクリーン装置。
　　【請求項８】
　前記第１波長帯域が緑色、青色及び紫外線帯域のうち少なくとも一つの帯域を含み、前記第２波長帯域が赤色及び赤外線帯域のうち少なくとも一つの帯域を含むことを特徴とする、請求項７に記載の光タッチスクリーン装置。
　　【請求項９】
　複数の行及び複数の列に沿って配列された複数のディスプレイ画素と複数のセンシング画素とを備え、
　それぞれの前記センシング画素が、外部の光源から照射される光を感知する光センシング画素と、画面のタッチ時に反射されるディスプレイ光を感知するタッチセンシング画素とを備え、
　前記光センシング画素が、互いに直列に連結された第１光センサートランジスタと第１スイッチトランジスタとを備え、前記タッチセンシング画素が、互いに直列に連結された第２光センサートランジスタと第２スイッチトランジスタとを備え、
　それぞれの前記ディスプレイ画素が、ディスプレイセル、及び前記ディスプレイセルのオン／オフを制御するための第３スイッチトランジスタを備え、
　前記第１光センサートランジスタが第１波長帯域の光を感知する酸化物半導体材料を含むチャネル層を含み、前記第２光センサートランジスタが前記第１波長帯域と異なる第２波長帯域の光を感知する酸化物半導体材料を含むチャネル層を含むことを特徴とする光タッチスクリーン装置。
　　【請求項１０】
　複数の前記ディスプレイ画素が列方向に配列されており、前記光センシング画素と前記タッチセンシング画素とが、それぞれの対応する前記ディスプレイ画素に隣接して配置されることを特徴とする、請求項９に記載の光タッチスクリーン装置。
　　【請求項１１】
　前記光センシング画素と前記タッチセンシング画素とが列方向に沿って交互に配列されていることを特徴とする、請求項１０に記載の光タッチスクリーン装置。
　　【請求項１２】
　前記光センシング画素の前記第１スイッチトランジスタのゲート及び前記ディスプレイ画素の前記第３スイッチトランジスタのゲートと連結される第１ゲートラインと、前記光センシング画素の前記第１光センサートランジスタのゲートと連結される第１リセットラインと、前記タッチセンシング画素の前記第２スイッチトランジスタのゲート及び前記ディスプレイ画素の前記第３スイッチトランジスタのゲートと連結される第２ゲートラインと、前記タッチセンシング画素の前記第２光センサートランジスタのゲートと連結される第２リセットラインと、をさらに備えることを特徴とする、請求項９に記載の光タッチスクリーン装置。
　　【請求項１３】
　前記光センシング画素の前記第１スイッチトランジスタのソースと、前記タッチセンシング画素の前記第２スイッチトランジスタのソースとに共通して連結されたデータラインをさらに備えることを特徴とする、請求項１２に記載の光タッチスクリーン装置。
　　【請求項１４】
　前記光センシング画素の前記第１スイッチトランジスタのソースに連結された第１データライン、及び前記タッチセンシング画素の前記第２スイッチトランジスタのソースに連結された第２データラインをさらに備えることを特徴とする、請求項１２に記載の光タッチスクリーン装置。
　　【請求項１５】
　前記第１リセットラインが、ある一行に配列された前記第１光センサートランジスタのゲートと、該行に後続する他の行の前記第２ゲートラインとの間に連結されており、前記第２リセットラインが、ある一行に配列された前記第２光センサートランジスタのゲートと、該行に後続する他の行の前記第１ゲートラインとの間に連結されていることを特徴とする、請求項１２に記載の光タッチスクリーン装置。
　　【請求項１６】
　前記ディスプレイ画素の前記第３スイッチトランジスタのドレインに連結された映像データラインをさらに備え、前記第３スイッチトランジスタのソースには、前記ディスプレイセルが連結されていることを特徴とする、請求項１２に記載の光タッチスクリーン装置。
　　【請求項１７】
　前記第１光センサートランジスタが相対的に短い第１波長帯域の光を感知し、前記第２光センサートランジスタが前記第１波長帯域より長い第２波長帯域の光を感知することを特徴とする、請求項９に記載の光タッチスクリーン装置。
　　【請求項１８】
　前記第１波長帯域が緑色、青色及び紫外線帯域のうち少なくとも一つの帯域を含み、前記第２波長帯域が赤色及び赤外線帯域のうち少なくとも一つの帯域を含むことを特徴とする、請求項１７に記載の光タッチスクリーン装置。」
第４　引用文献、引用発明等
１．引用文献１について
　原査定の拒絶の理由に引用された引用文献１には、図面とともに次の事項が記載されている。
ａ）「【００４７】
　図２は、本発明のタッチパネル内蔵型液晶表示装置を示す断面図であり、図３は、図２におけるタッチセンシング回路の第１実施例を示す図である。
【００４８】
　図２に示すように、本発明の
タッチパネル内蔵型液晶表示装置
、相対向して設けられ、その間に液晶層１５０が挟持された第１基板１１０及び第２基板１２０と、第１基板１１０の背面に付着された第１偏光板１３１、及び第２基板１２０の背面に付着された第２偏光板１３２と、第１偏光板１３１の下側に配置されたバックライトユニット３００と、第２偏光板１３２と一体として構成された導波管１４０と、を備え
導波管１４０の一側には選択的に青色光のみを出射して伝達する青色発光ダイオード２００が設けられ
【００４９】
　ここで、導波管１４０は、第１フィルム層１４１及び第２フィルム層１４２が順次に積層された構造であり、第２偏光板１３２上に隣接する第２フィルム層１４２の屈折率を、第１フィルム層１４１よりも大きくする。
【００５０】
　場合によって、第１フィルム層１４１を空気層とし、第２フィルム層１４２と第２偏光板１３２との間にスペーサ（図示せず）を設け、間隔を維持させて形成することもできる。この場合は、第２フィルム層１４２を、第１フィルム１４１よりも大きい屈折率を有する誘電体とする。
【００５１】
　あるいは、第１フィルム層１４１は、第１フィルム層１４１と等しいまたは小さい屈折率を有する物質の接合剤をさらに備え、第２偏光板１３２と接合してなることもできる。
【００５２】
　一方、
導波管１４０は、人の手やペンが直接接触するタッチ接触面
【００５３】
　一方、
第１基板１１０及び第２基板１２０には、青色、緑色、赤色のサブピクセルを１画素とする複数の画素がマトリクス状に配列され
【００５４】
　そして、
青色、緑色、赤色のサブピクセルにそれぞれ対応して、青色カラーフィルタ層１２２、緑色カラーフィルタ層１２３及び赤色カラーフィルタ層
が第２基板１２０に形成され
【００５５】
　ここで、
青色カラーフィルタ層１２２は、青色の光を透過させる顔料からなり、緑色カラーフィルタ層１２３及び赤色カラーフィルタ層
は、青色の光を吸収する顔料からな
　
上述した顔料の性質により、発光ダイオード２００から出射された光が導波管１４０のタッチ時に、第１光センサー１１１側に反射され
【００５６】
　また、
青色カラーフィルタ層１２２に対応して第１基板１１０上に形成された第１光センサー１１１、及び緑色カラーフィルタ層１２３または赤色カラーフィルタ層に対応して形成された第２光センサー１１２が備えら
第１光センサー１１１及び第２光センサー１１２は、タッチ時点で、外部光がパネル内に反射して入る時に青色光とその他の光の光量を異ならせて感知するためのもので、
外部光をパネル内に全反射させる導波管１４０と、選択的に青色光のみを発する発光ダイオード２００により、タッチ時点で青色光とその他の光が反射されて入る強度が異な
青色光
の光を第２カラーフィルタ層１２３で殆ど吸収し、青色光は第１光センサー１１１でのみ感知されるように
ｂ．「【００６２】
　場合によって、
青色発光ダイオード２００は、下部のバックライトユニット３００を赤色、緑色、青色のＬＥＤを配列して構成する時、その中の青色ＬＥＤとしても良
ｃ．「【００６３】
　図３に示すように、本発明の第１実施例によるタッチセンシング回路は、第１及び第２光センサー１１１，１１２を備えており、下記のように構成される。
【００６４】
　この場合、
第１基板１１０上には、各サブピクセルを区切るように、互いに交差して形成されたゲートライン
及びデータライン
と、ゲートラインとデータラインとの交差部に形成されたピクセルトランジスタＴｐｉｘｅｌと、ゲートラインＧｎと平行なスイッチングラインＧｓ、共通ラインｃｏｍ及び電源電圧ラインｄｄと、ピクセルトランジスタＴｐｉｘｅｌと連結された液晶セルキャパシタＣｌｃ及びストレージキャパシタＣｓｔと、データラインｄａｔａと平行なリードアウト配線ＲＯ１，ＲＯ２と、を含
【００６５】
　
第１光センサー１１１は、スイッチングラインＧｓ、共通ラインｃｏｍ、電源電圧ラインｄｄ及び第１リードアウト配線ＲＯ１の間に対応して形成され、電源電圧ラインｄｄによりサンプリング信号が印加されて駆動される第１センシングトランジスタＳｂと、第１センシングトランジスタＳｂで感知した信号を貯蔵する第１センシングキャパシタＣｓと、第１センシングキャパシタＣｓと連結され、スイッチングラインＧｓの信号印加によってスイッチングされて第１リードアウト配線ＲＯ１に信号を伝送する第１スイッチングトランジスタＴｓｗ１
と、を含んで
【００６６】
　
また、第２光センサーは、上述した第１光センサー１１１と同様の内部構成を有するもので、第２センシングトランジスタＳｏ、第２センシングキャパシタＣｓ及び第２スイッチングトランジスタＴｓｗ２
を含む。このような第１光センサー１１１と第２光センサー１１２はそれぞれ、一画素内で互いに隣接する青色のサブピクセルと緑色または赤色のサブピクセルに対応して形成される。また、第１及び第２光センサー１１１，１１２は、同一のスイッチングラインＧｓ、共通ラインｃｏｍ及び電源電圧ラインｄｄに共通して連結され、ただし、スイッチングトランジスタＴｓｗ１，Ｔｓｗ２が第１及び第２リードアウト配線ＲＯ１，ＲＯ２にそれぞれ連結され、また、ピクセルトランジスタＴｐｉｘｅｌ１，Ｔｐｉｘｅｌ２が、異なるデータラインにそれぞれ連結される
ｄ）「【００７２】
  そして、タッチ感知区間には、発光ダイオードが青色光を出射及び伝達するように駆動される。これにより、タッチ時には、青色発光ダイオード２００からパネル内に反射された光を感知する第１光センサー１１１のみが出力信号を出力するようになり、第１光センサー１１１からの出力値と第２光センサー１１２からの出力値との差が増加する。
【００７３】
  これに対し、タッチによる反射光ではなく、外部光を感知する期間には、発光ダイオードがオフになっているため、青色、赤色、緑色光が均一にパネル内に入射し、よって、第１光センサー１１１で感知する出力値と前記第２光センサー１１２で感知する出力値との差が殆どない。このように、本発明によれば、タッチによる光感知と外部光感知において、第１及び第２光センサー１１１，１１２の出力値差が異なり、これにより、タッチの発生かあるいは外部光による影響かを識別することができる。」
ｅ）図３には、
第１センシングトランジスタＳｂと第１スイッチングトランジスタＴｓｗ１とが互いに直列に連結され、第２センシングトランジスタＳｏと第２スイッチングトランジスタＴｓｗ２とが互いに直列に連結され
　上記下線部及び関連箇所の記載によれば、引用文献１には、タッチパネル内蔵型液晶表示装置として、以下の発明（以下、「引用発明１」という。）が記載されている。
　「相対向して設けられ、その間に液晶層１５０が挟持された第１基板１１０及び第２基板１２０と、第１基板１１０の背面に付着された第１偏光板１３１、及び第２基板１２０の背面に付着された第２偏光板１３２と、第１偏光板１３１の下側に配置されたバックライトユニット３００と、第２偏光板１３２と一体として構成された導波管１４０と、を備え、
　導波管１４０の一側には選択的に青色光のみを出射して伝達する青色発光ダイオード２００が設けられ、
　導波管１４０は、人の手やペンが直接接触するタッチ接触面であり、
　第１基板１１０及び第２基板１２０には、青色、緑色、赤色のサブピクセルを１画素とする複数の画素がマトリクス状に配列され、
　青色、緑色、赤色のサブピクセルにそれぞれ対応して、青色カラーフィルタ層１２２、緑色カラーフィルタ層１２３及び赤色カラーフィルタ層が第２基板１２０に形成され、
　青色カラーフィルタ層１２２は、青色の光を透過させる顔料からなり、緑色カラーフィルタ層１２３及び赤色カラーフィルタ層は、青色の光を吸収する顔料からなり、
　上述した顔料の性質により、発光ダイオード２００から出射された光が導波管１４０のタッチ時に、第１光センサー１１１側に反射され、
　青色カラーフィルタ層１２２に対応して第１基板１１０上に形成された第１光センサー１１１、及び緑色カラーフィルタ層１２３または赤色カラーフィルタ層に対応して形成された第２光センサー１１２が備えられ、
　第１光センサー１１１及び第２光センサー１１２は、タッチ時点で、外部光がパネル内に反射して入る時に青色光とその他の光の光量を異ならせて感知するためのもので、外部光をパネル内に全反射させる導波管１４０と、選択的に青色光のみを発する発光ダイオード２００により、タッチ時点で青色光とその他の光が反射されて入る強度が異なり、
　青色光の光を第２カラーフィルタ層１２３で殆ど吸収し、青色光は第１光センサー１１１でのみ感知され、
　青色発光ダイオード２００は、下部のバックライトユニット３００を赤色、緑色、青色のＬＥＤを配列して構成する時、その中の青色ＬＥＤとしても良く、
　第１基板１１０上には、各サブピクセルを区切るように、互いに交差して形成されたゲートライン及びデータラインと、ゲートラインとデータラインとの交差部に形成されたピクセルトランジスタＴｐｉｘｅｌと、ゲートラインＧｎと平行なスイッチングラインＧｓ、共通ラインｃｏｍ及び電源電圧ラインｄｄと、ピクセルトランジスタＴｐｉｘｅｌと連結された液晶セルキャパシタＣｌｃ及びストレージキャパシタＣｓｔと、データラインｄａｔａと平行なリードアウト配線ＲＯ１，ＲＯ２と、を含み、
　第１光センサー１１１は、スイッチングラインＧｓ、共通ラインｃｏｍ、電源電圧ラインｄｄ及び第１リードアウト配線ＲＯ１の間に対応して形成され、電源電圧ラインｄｄによりサンプリング信号が印加されて駆動される第１センシングトランジスタＳｂと、第１センシングトランジスタＳｂで感知した信号を貯蔵する第１センシングキャパシタＣｓと、第１センシングキャパシタＣｓと連結され、スイッチングラインＧｓの信号印加によってスイッチングされて第１リードアウト配線ＲＯ１に信号を伝送する第１スイッチングトランジスタＴｓｗ１と、を含んでおり、
　第２光センサーは、上述した第１光センサー１１１と同様の内部構成を有するもので、第２センシングトランジスタＳｏ、第２センシングキャパシタＣｓ及び第２スイッチングトランジスタＴｓｗ２を含む。このような第１光センサー１１１と第２光センサー１１２はそれぞれ、一画素内で互いに隣接する青色のサブピクセルと緑色または赤色のサブピクセルに対応して形成される。また、第１及び第２光センサー１１１，１１２は、同一のスイッチングラインＧｓ、共通ラインｃｏｍ及び電源電圧ラインｄｄに共通して連結され、ただし、スイッチングトランジスタＴｓｗ１，Ｔｓｗ２が第１及び第２リードアウト配線ＲＯ１，ＲＯ２にそれぞれ連結され、また、ピクセルトランジスタＴｐｉｘｅｌ１，Ｔｐｉｘｅｌ２が、異なるデータラインにそれぞれ連結され、
　第１センシングトランジスタＳｂと第１スイッチングトランジスタＴｓｗ１とが互いに直列に連結され、第２センシングトランジスタＳｏと第２スイッチングトランジスタＴｓｗ２とが互いに直列に連結された
　タッチパネル内蔵型液晶表示装置。」
２．引用文献２について
　原査定の拒絶の理由に引用された引用文献２には、図面とともに次の事項が記載されている。
ｆ）「[0083] 図7に示すように、反射膜 201の表面に波長選択フィルター 202を配置してもよい。波長選択フィルター 202は、所定の波長の光を選択的に透過し、他方所定の波長以外の波長の光を選択的に減衰、散乱ないしは吸収する。その結果、ポインタ 200の先端に設けられている反射膜 201においては、所定の波長の光が選択的に反射され、所定の波長以外の波長の光は反射されない。これにより、受光素子 130R、 130G及び 130Bの少なくとも一つにおいて受光される光の波長（即ち、色）を決めることができる。これは、所定の波長の（即ち、色の）レーザ光を照射するレーザポインタを用いてディスプレイ 100の表示面上の所定の部分をなぞる或いは指し示すことと同様の動作を可能とすることにつながる。」
ｇ）「[0087] また、先端に反射膜 201を備えるポインタ 200に代えて、図 9に示すように、所定の波長（即ち、所定の色の）のレーザ光等を発することができるポインタ 210を用いてもよい。図9に示す例では、青色レーザ光 (即ち、波長が概ね 450nm程度のレーザ光) を発するポインタ 210を用いているが、図5に示す場合と同様に、受光素子 130R及び 130Gの夫々の受光量が増大し、受光素子 130Bの受光量は微増或いは変わらない。このため、少なくとも受光量が増大している受光素子 130R及び 130Gを含む画素を、ユーザがポインタ 210を用いて、ディスプレイ 100の表示面をなぞる或いは指し示していることを認識することができる。更に、ユーザが青色レーザ光を用いて、 ディスプレイ 100の表示面をなぞる或 いは指し示していることを認識することもできる。」
３．その他の文献について
　また、前置報告において周知文献を示す文献として引用された引用文献３（特開２０１１−６０９５３号公報）には、次の事項が記載されている。
ｈ）「【００２５】
　第４発明及び第７発明では、第１又は第２酸化物半導体層は、ＺｎＯ膜であるので、波長が３８０ｎｍ以下の光（紫外線）を検知することができる。
【００２６】
　第５発明及び第８発明では、第１又は第２酸化物半導体層は、（Ｂａ、Ｓｒ）ＴｉＯ3 膜であるので、波長が２９０ｎｍ以下の光（紫外線）を検知することができる。
【００２７】
　第６発明及び第９発明では、第１又は第２酸化物半導体層は、Ｃｕ2 Ｏ膜であるので、波長が６２０ｎｍ以下の光を検知することができる。」
第５　対比・判断
１．本願発明１について
（１）対比
　本願発明１と引用発明１とを対比する。 
ア．引用発明１は、「青色、緑色、赤色のサブピクセルを１画素とする複数の画素がマトリクス状に配列され」、「青色カラーフィルタ層１２２に対応して第１基板１１０上に形成された第１光センサー１１１、及び緑色カラーフィルタ層１２３または赤色カラーフィルタ層に対応して形成された第２光センサー１１２が備えられ」るものであるから、引用発明１の「第１光センサー１１１」及び「第２光センサー１１２」は画素毎に備えられ、マトリックス状に配置されるものであり、本願発明１の「複数の行及び複数の列に沿って配列された複数のセンシング画素」に相当する。
イ．引用発明１は、「第１光センサー１１１及び第２光センサー１１２は、タッチ時点で、外部光がパネル内に反射して入る時に青色光とその他の光の光量を異ならせて感知するためのもので、外部光をパネル内に全反射させる導波管１４０と、選択的に青色光のみを発する発光ダイオード２００により、タッチ時点で青色光とその他の光が反射されて入る強度が異なり、青色光の光を第２カラーフィルタ層１２３で殆ど吸収し、青色光は第１光センサー１１１でのみ感知され」るものであるから、「第１光センサー１１１」及び「第２光センサー１１２」はいずれも、タッチ時点で外部光がパネル内に反射して入る時に、外部光を感知するセンサーであると共に、「第１光センサー１１１」は、タッチ時点で反射されて入る「発光ダイオード２００」の青色光を感知するセンサーでもある。
　また、引用発明１は、「青色発光ダイオード２００は、下部のバックライトユニット３００を赤色、緑色、青色のＬＥＤを配列して構成する時、その中の青色ＬＥＤとしても良」いものであるから、引用発明１の「第１光センサー１１１」は、タッチ時点で反射されて入る「バックライトユニット３００の中の青色ＬＥＤ」の青色光を感知するセンサーである。
　引用発明１の「第２光センサー１１２」は、タッチ時点で外部光がパネル内に反射して入るときに、外部光を感知するセンサーであるから、本願発明１の「外部の光源から照射される光を感知する光センシング画素」に相当する。
　また、引用発明１の「第１光センサー１１１」は、タッチ時点で反射されて入る「バックライトユニット３００の中の青色ＬＥＤ」の青色光を感知するセンサーであるから、本願発明１の「画面の接触時に反射されるディスプレイ光を感知するタッチセンシング画素」に相当する。
　そして、上記ア．で述べたように、引用発明１の画素毎に備えられた「第１光センサー１１１及び第２光センサー１１２」は、本願発明１の「センシング画素」に相当するから、引用発明１は、本願発明１の「それぞれの前記センシング画素が、外部の光源から照射される光を感知する光センシング画素と、画面の接触時に反射されるディスプレイ光を感知するタッチセンシング画素とを備え」ることに相当する構成を有するといえる。
ウ．引用発明１の「第２光センサー１１２」は、「第２センシングトランジスタＳｏ」、「第２スイッチングトランジスタＴｓｗ２」を含み、「第２センシングトランジスタＳｏと第２スイッチングトランジスタＴｓｗ２とが互いに直列に連結され」ることは、本願発明１の「前記光センシング画素が、互いに直列に連結された第１光センサートランジスタと第１スイッチトランジスタとを備え」ることに相当する。
エ．引用発明１の「第１光センサー１１１」は、「第１センシングトランジスタＳｂ」、「第１スイッチングトランジスタＴｓｗ１」を含んでおり、「第１センシングトランジスタＳｂと第１スイッチングトランジスタＴｓｗ１とが互いに直列に連結され」ることは、本願発明１の「前記タッチセンシング画素が、互いに直列に連結された第２光センサートランジスタと第２スイッチトランジスタとを備え」ることに相当する。
オ．引用発明１の「タッチパネル内蔵型液晶表示装置」は「第１光センサー１１１及び第２光センサー１１２」を用いたものであるから、「光タッチスクリーン装置」ともいい得るものである。
　したがって、両者は以下の一致点と相違点とを有する。 
　
〈一致点〉
「複数の行及び複数の列に沿って配列された複数のセンシング画素を備え、
　それぞれの前記センシング画素が、外部の光源から照射される光を感知する光センシング画素と、画面の接触時に反射されるディスプレイ光を感知するタッチセンシング画素とを備え、
　前記光センシング画素が、互いに直列に連結された第１光センサートランジスタと第１スイッチトランジスタとを備え、前記タッチセンシング画素が、互いに直列に連結された第２光センサートランジスタと第２スイッチトランジスタとを備えることを特徴とする光タッチスクリーン装置。」
〈相違点〉
　本願発明１は、「前記第１光センサートランジスタが第１波長帯域の光を感知する酸化物半導体材料を含むチャネル層を含み、前記第２光センサートランジスタが前記第１波長帯域と異なる第２波長帯域の光を感知する酸化物半導体材料を含むチャネル層を含む」ものであるのに対し、引用発明１は、「第１光センサー１１１」、「第２光センサー１１２」がそのような構成を備えるものではない点。
（２）相違点についての判断
　上記「第４」の「２．」に摘記されるように、引用文献２には「先端に反射膜２０１を備えるポインタ２００」に代えて、「レーザ光等を発することができるポインタ２１０を用い」「受光量が増大している受光素子１３０Ｒ及び１３０Ｇを含む画素を、ユーザがポインタ２１０を用いて、ディスプレイ１００の表示面をなぞる或いは指し示していることを認識することができる」技術が記載されている。
　しかしながら、引用文献２に記載された技術は、「第１波長帯域の光を感知」する「第１光センサートランジスタ」と「前記第１波長帯域と異なる第２波長帯域の光を感知」する「第２光センサートランジスタ」を備えたものではないから、相違点に係る本願発明１の構成は、上記引用文献２には記載されていない。
　また、上記「第４」の「３．」に摘記された引用文献３に記載されるように、酸化物半導体の種類を変えることにより、異なる波長の光を検知する技術は、本願の優先日前周知技術であったものと認められる。
　しかしながら、引用文献１は、上記「第４」の「１．」の「ｄ）」に記載されるように、「外部光を感知する期間には、発光ダイオードがオフになっているため、青色、赤色、緑色光が均一にパネル内に入射し、よって、第１光センサー１１１で感知する出力値と前記第２光センサー１１２で感知する出力値との差が殆どない」ことにより「外部光による影響」を識別するものであるから、「第１光センサー１１」と「第２光センサー１１２」とは、外部光に対し同様の感知特性を有する必要があり、引用発明１の「第１光センサー１１１」と「第２光センサー１１２」とを、互いに異なる波長帯域の光を感知するセンサーとすることには、阻害要因があるといえる。
　したがって本願発明１は、当業者であっても引用発明１、引用文献２に記載された技術的事項に基づいて容易に発明できたものであるとはいえない。
２．請求項２−８について
　本願発明２−８は、本願発明１を直接または間接的に引用するものであり、上記「１．請求項１について」にて述べたのと同様の理由により、引用発明１及び引用文献２に記載された技術的事項に基づいて容易に発明できたものであるとはいえない。
３．請求項９について
　本願発明９は、本願発明１の上記相違点に係る構成と同様の構成を有するものであり、上記「１．請求項１について」にて述べたのと同様の理由により、引用発明１及び引用文献２に記載された技術的事項に基づいて容易に発明できたものであるとはいえない。
４．請求項１０−１８について
　本願発明１０−１８は、本願発明９を直接または間接的に引用するものであり、上記「１．請求項１について」にて述べたのと同様の理由により、引用発明１及び引用文献２に記載された技術的事項に基づいて容易に発明できたものであるとはいえない。
第６　原査定について
１．理由１（特許法第２９条第１項第３号）について
　審判請求時の補正により、本願発明１−１８は「前記第１光センサートランジスタが第１波長帯域の光を感知する酸化物半導体材料を含むチャネル層を含み、前記第２光センサートランジスタが前記第１波長帯域と異なる第２波長帯域の光を感知する酸化物半導体材料を含むチャネル層を含む」という事項を有するものとなっており、本願発明１−１８は、拒絶査定において引用された引用文献１に記載された発明であるとはいえない。
　したがって、原査定の理由１を維持することはできない。
２．理由２（特許法第２９条第２項）について
　審判請求時の補正により、本願発明１−１８は「前記第１光センサートランジスタが第１波長帯域の光を感知する酸化物半導体材料を含むチャネル層を含み、前記第２光センサートランジスタが前記第１波長帯域と異なる第２波長帯域の光を感知する酸化物半導体材料を含むチャネル層を含む」という事項を有するものとなっており、当業者であっても、拒絶査定において引用された引用文献１，２に基づいて、容易に発明できたものとはいえない。
　したがって、原査定の理由２を維持することはできない。
第７　むすび
　以上のとおり、原査定の理由によっては、本願を拒絶することはできない。
　また、他に本願を拒絶すべき理由を発見しない。
　よって、結論のとおり審決する。